(57)【要約】      （修正有）【課題】車両用灯具の分野において望まれている輝度分布を形成することができる発光装置及び光ファイバを提供する。【解決手段】励起光源からの励起光が入射する入射端面と出射する出射端面とを含む光ファイバ１４と、出射端面から出射する励起光を拡散する拡散部材１６と、励起光の少なくとも一部を励起光と異なる波長の光に変換する波長変換部材１８を備えており、光ファイバの出射端面は、第１出射端面１４ｂ１及び第１出射端面に対して傾いた第２出射端面１４ｂ２を含み、第１出射端面から出射する励起光が第１領域を照射するように配置され、第２出射端面から出射する励起光が第１領域以外の第２領域を照射するように配置され、第２出射端面と第２領域との間には、反射面が配置され、反射面は、第２出射端面の前方に、反射面、第２出射端面及び第２領域で取り囲まれた空間を形成している発光装置である。【選択図】図１
2015185209.tif 000002
【特許請求の範囲】
【請求項１】
励起光源と、
前記励起光源からの励起光が入射する入射端面と前記入射端面から導入される励起光が出射する出射端面とを含むコアと、前記コアの周囲を取り囲むクラッドと、を含む光ファイバと、
第１の面とその反対側の第２の面とを含み、前記出射端面から出射して前記第１の面を照射する励起光を拡散し、前記第２の面から拡散光として出射する拡散部材と、
第３の面とその反対側の第４の面とを含み、前記第２の面から出射して前記第３の面を照射する励起光の少なくとも一部を前記励起光と異なる波長の光に変換し、前記第４の面から出射する波長変換部材と、
を備えており、
前記光ファイバの出射端面は、第１出射端面及び当該第１出射端面に対して傾いた第２出射端面を含み、
前記第１出射端面は、当該第１出射端面から出射する前記励起光が前記第１の面中の一辺近傍の第１領域を照射するように、前記第１領域に近接した位置において前記第１領域に対向した状態で配置され、
前記第２出射端面は、当該第２出射端面から出射する前記励起光が前記第１の面中の前記第１領域以外の第２領域を照射するように、前記第２領域に対して傾いた状態で配置され、
前記第２出射端面と前記第２領域との間には、反射面が配置され、
前記反射面は、前記第２出射端面の前方に、当該反射面、前記第２出射端面及び前記第２領域で取り囲まれた空間を形成している発光装置。
【請求項２】
前記拡散部材及び／又は前記波長変換部材の前記一辺側の側面は、反射面で覆われている請求項１に記載の発光装置。
【請求項３】
励起光源と、
前記励起光源からの励起光が入射する入射端面と前記入射端面から導入される励起光が出射する出射端面とを含むコアと、前記コアの周囲を取り囲むクラッドと、を含む光ファイバと、
第３の面とその反対側の第４の面とを含み、前記出射端面から出射して前記第３の面を照射する励起光の少なくとも一部を前記励起光と異なる波長の光に変換し、前記第４の面から出射する波長変換部材と、
を備えており、
前記光ファイバの出射端面は、第１出射端面及び当該第１出射端面に対して傾いた第２出射端面を含み、
前記第１出射端面は、当該第１出射端面から出射する前記励起光が前記第３の面中の一辺近傍の第１領域を照射するように、前記第１領域に近接した位置において前記第１領域に対向した状態で配置され、
前記第２出射端面は、当該第２出射端面から出射する前記励起光が前記第３の面中の前記第１領域以外の第２領域を照射するように、前記第２領域に対して傾いた状態で配置され、
前記第２出射端面と前記第２領域との間には、反射面が配置され、
前記反射面は、前記第２出射端面の前方に、当該反射面、前記第２出射端面及び前記第２領域で取り囲まれた空間を形成している発光装置。
【請求項４】
前記波長変換部材の前記一辺側の側面は、反射面で覆われている請求項３に記載の発光装置。
【請求項５】
前記第１出射端面は、前記第１領域に当接している請求項１から４のいずれか１項に記載の発光装置。
【請求項６】
前記第１出射端面は、ファイバ軸に対して垂直な出射端面であり、
前記第２出射端面は、前記第１出射端面に対して傾いた出射端面である請求項１から５のいずれか１項に記載の発光装置。
【請求項７】
前記反射面は、前記第２出射端面とは反対側に傾いている請求項１から６のいずれか１項に記載の発光装置。
【請求項８】
前記コアは、ファイバ軸に対して垂直な断面が矩形又は略矩形のコアである請求項１から７のいずれか１項に記載の発光装置。
【請求項９】
請求項１から８のいずれか１項に記載の発光装置と、
前記発光装置からの光を前方に照射する光学系と、を備えた車両用灯具。
【請求項１０】
励起光源からの励起光が入射する入射端面と前記入射端面から導入される励起光が出射する出射端面とを含むコアと、前記コアの周囲を取り囲むクラッドと、を含む光ファイバにおいて、
前記出射端面は、第１出射端面及び当該第１出射端面に対して傾いた第２出射端面を含む光ファイバ。
【請求項１１】
前記第１出射端面は、ファイバ軸に対して垂直な出射端面であり、
前記第２出射端面は、前記第１出射端面に対して傾いた出射端面である請求項１０に記載の光ファイバ。
【請求項１２】
前記コアは、ファイバ軸に対して垂直な断面が矩形又は略矩形のコアである請求項１０又は１１に記載の光ファイバ。
【発明の詳細な説明】
【技術分野】
【０００１】
本発明は、発光装置及び光ファイバに係り、特に、光ファイバを用いた発光装置及びこれに用いられる光ファイバに関する。
【背景技術】
【０００２】
従来、光ファイバを用いた発光装置が提案されている（例えば、特許文献１参照）。
【０００３】
図１１（ａ）は特許文献１に記載の発光装置２０１の概略図、図１１（ｂ）は発光装置２０１の部分拡大斜視図である。図１２は、特許文献１に記載の発光装置２０１において波長変換部材２０７に形成される輝度分布Ｂ１及び車両用灯具の分野において望まれている輝度分布Ｂ２を説明するための図である。
【０００４】
図１１（ａ）に示すように、特許文献１に記載の発光装置２０１は、励起光源２０３、複数の光ファイバ２０５、波長変換部材２０７等を備え、光ファイバ２０５の入射端部２０５ｂから導入され、出射端部２０５ａから出射する励起光源２０３からの励起光により励起発光する波長変換部材２０７を光源とした発光装置である。各々の光ファイバ２０５の出射端部２０５ａは、図１１（ｂ）に示すように、波長変換部材２０７のレーザー光照射面２０７ａに当接した状態で配置されている。
【０００５】
ところで、車両用灯具の分野においては、カットオフラインを明瞭なものとし、かつ、配光フィーリングを良好なものとする観点から、一辺側の輝度が最大で、かつ、そこから離れるに従って輝度がなだらかに減少する輝度分布が望まれている。
【先行技術文献】
【特許文献】
【０００６】
【特許文献１】特開２０１１−２２２２６０号公報
【発明の概要】
【発明が解決しようとする課題】
【０００７】
しかしながら、特許文献１に記載の発光装置２０１においては、１本の光ファイバ２０５に着目すると、当該１本の光ファイバ２０５の出射端部２０５ａ（ファイバ軸ＡＸに対して垂直な出射端面）が波長変換部材２０７のレーザー光照射面２０７ａに当接しているため、図１２に符号Ｂ１で示すように、ファイバ軸ＡＸ上の輝度が最大で、かつ、ファイバ軸ＡＸから離れると輝度が急峻に減少する輝度分布となり、図１２に符号Ｂ２で示すように、車両用灯具の分野において望まれている輝度分布、すなわち、一辺Ｅ側の輝度が最大で、かつ、そこから離れるに従って輝度がなだらかに減少する輝度分布を形成することができないという問題がある。
【０００８】
本発明は、このような事情に鑑みてなされたものであり、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置及びこれに用いられる光ファイバを提供することを目的とする。
【課題を解決するための手段】
【０００９】
上記目的を達成するため、請求項１に記載の発明は、励起光源と、前記励起光源からの励起光が入射する入射端面と前記入射端面から導入される励起光が出射する出射端面とを含むコアと、前記コアの周囲を取り囲むクラッドと、を含む光ファイバと、第１の面とその反対側の第２の面とを含み、前記出射端面から出射して前記第１の面を照射する励起光を拡散し、前記第２の面から拡散光として出射する拡散部材と、第３の面とその反対側の第４の面とを含み、前記第２の面から出射して前記第３の面を照射する励起光の少なくとも一部を前記励起光と異なる波長の光に変換し、前記第４の面から出射する波長変換部材と、を備えており、前記光ファイバの出射端面は、第１出射端面及び当該第１出射端面に対して傾いた第２出射端面を含み、前記第１出射端面は、当該第１出射端面から出射する前記励起光が前記第１の面中の一辺近傍の第１領域を照射するように、前記第１領域に近接した位置において前記第１領域に対向した状態で配置され、前記第２出射端面は、当該第２出射端面から出射する前記励起光が前記第１の面中の前記第１領域以外の第２領域を照射するように、前記第２領域に対して傾いた状態で配置され、前記第２出射端面と前記第２領域との間には、反射面が配置され、前記反射面は、前記第２出射端面の前方に、当該反射面、前記第２出射端面及び前記第２領域で取り囲まれた空間を形成している発光装置であることを特徴とする。
【００１０】
請求項１に記載の発明によれば、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置を提供することができる。
【００１１】
一辺側の輝度が最大になるのは、第１出射端面が、第１の面中の一辺近傍の第１領域を照射するように、第１領域に近接した位置において第１領域に対向した状態で配置されている（その結果、第１出射端面と第１領域との間のフレネル反射等の接続損失が抑制される）ことによるものである。
【００１２】
一辺側から離れるに従って輝度がなだらかに減少するのは、詳細な理由は不明であるが、第２出射端面から出射した励起光が、反射面、第２出射端面及び第２領域で取り囲まれた空間において散乱され、複雑な経路を経て拡散部材（第２領域）に入射すること、すなわち、当該空間が散乱空間として機能することによるものと思われる。
【００１３】
請求項２に記載の発明は、請求項１に記載の発明において、前記拡散部材及び／又は前記波長変換部材の前記一辺側の側面は、反射面で覆われていることを特徴とする。
【００１４】
請求項２に記載の発明によれば、一辺側の輝度をさらに高くすることができる。これは、波長変換部材及び／又は拡散部材の一辺側の側面から外部へ漏れ出る励起光が当該側面を覆う反射面の作用により波長変換部材及び／又は拡散部材へ戻されることによるものである。
【００１５】
請求項３に記載の発明は、励起光源と、前記励起光源からの励起光が入射する入射端面と前記入射端面から導入される励起光が出射する出射端面とを含むコアと、前記コアの周囲を取り囲むクラッドと、を含む光ファイバと、第５の面とその反対側の第６の面とを含み、前記出射端面から出射して前記第５の面を照射する励起光の少なくとも一部を前記励起光と異なる波長の光に変換し、前記第６の面から出射する波長変換部材と、を備えており、前記光ファイバの出射端面は、第１出射端面及び当該第１出射端面に対して傾いた第２出射端面を含み、前記第１出射端面は、当該第１出射端面から出射する前記励起光が前記第５の面中の一辺近傍の第１領域を照射するように、前記第１領域に近接した位置において前記第１領域に対向した状態で配置され、前記第２出射端面は、当該第２出射端面から出射する前記励起光が前記第５の面中の前記第１領域以外の第２領域を照射するように、前記第２領域に対して傾いた状態で配置され、前記第２出射端面と前記第２領域との間には、反射面が配置され、前記反射面は、前記第２出射端面の前方に、当該反射面、前記第２出射端面及び前記第２領域で取り囲まれた空間を形成している発光装置であることを特徴とする。
【００１６】
請求項３は、請求項１から拡散部材を省略したものに相当する。
【００１７】
請求項３に記載の発明によれば、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置を提供することができる。
【００１８】
一辺側の輝度が最大になるのは、第１出射端面が、第３の面中の一辺近傍の第１領域を照射するように、第１領域に近接した位置において第１領域に対向した状態で配置されている（その結果、第１出射端面と第１領域との間のフレネル反射等の接続損失が抑制される）ことによるものである。
【００１９】
一辺側から離れるに従って輝度がなだらかに減少するのは、詳細な理由は不明であるが、第２出射端面から出射した励起光が、反射面、第２出射端面及び第２領域で取り囲まれた空間において散乱され、複雑な経路を経て波長変換部材（第２領域）に入射すること、すなわち、当該空間が散乱空間として機能することによるものと思われる。
【００２０】
請求項４に記載の発明は、請求項３に記載の発明において、前記波長変換部材の前記一辺側の側面は、反射面で覆われていることを特徴とする。
【００２１】
請求項４に記載の発明によれば、一辺側の輝度をさらに高くすることができる。これは、波長変換部材の一辺側の側面から外部へ漏れ出る励起光が当該側面を覆う反射面の作用により波長変換部材へ戻されることによるものである。
【００２２】
請求項５に記載の発明は、請求項１から４のいずれか１項に記載の発明において、前記第１出射端面は、前記第１領域に当接していることを特徴とする。
【００２３】
請求項５に記載の発明によれば、第１出射端面と第１領域との間のフレネル反射等の接続損失がさらに抑制されるため、第１出射端面が第１領域に当接していない場合と比べ、一辺側の輝度をさらに高くすることができる。
【００２４】
請求項６に記載の発明は、請求項１から５のいずれか１項に記載の発明において、前記第１出射端面は、ファイバ軸に対して垂直な出射端面であり、前記第２出射端面は、前記第１出射端面に対して傾いた出射端面であることを特徴とする。
【００２５】
請求項６に記載の発明によれば、請求項１から５と同様の効果を奏することができる。
【００２６】
請求項７に記載の発明は、請求項１から６のいずれか１項に記載の発明において、前記反射面は、前記第２出射端面とは反対側に傾いていることを特徴とする。
【００２７】
請求項７に記載の発明によれば、請求項１から６と同様の効果を奏することができる。
【００２８】
請求項８に記載の発明は、請求項１から７のいずれか１項に記載の発明において、前記コアは、ファイバ軸に対して垂直な断面が矩形又は略矩形のコアであることを特徴とする。
【００２９】
請求項８に記載の発明によれば、コア断面が円形（又は略円形）のコアを含む光ファイバと比べ、一辺側に光ファイバの第１出射端面を密に配置することができるため、一辺側の輝度をさらに高くすることができる。
【００３０】
請求項９に記載の発明は、請求項１から８のいずれか１項に記載の発光装置と、前記発光装置からの光を前方に照射する光学系と、を備えた車両用灯具であることを特徴とする。
【００３１】
請求項９に記載の発明によれば、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置を用いた車両用灯具を提供することができる。なお、発光装置からの光を前方に照射する光学系は、ダイレクトプロジェクション型（直射型とも称される）の光学系を構成する投影レンズ等であってもよいし、プロジェクタ型の光学系を構成する投影レンズ、シェード、楕円系反射面等であってもよいし、リフレクタ型の光学系を構成する放物面系反射面等であってもよいし、導光光学系（ＲＸＩ光学系）を構成する全反射を利用したレンズ体等であってもよいし、その他の光学系であってもよい。
【００３２】
請求項１０に記載の発明は、励起光源からの励起光が入射する入射端面と前記入射端面から導入される励起光が出射する出射端面とを含むコアと、前記コアの周囲を取り囲むクラッドと、を含む光ファイバにおいて、前記出射端面は、第１出射端面及び当該第１出射端面に対して傾いた第２出射端面を含む光ファイバであることを特徴とする。
【００３３】
請求項１０に記載の発明によれば、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置に用いられる光ファイバを提供することができる。
【００３４】
請求項１１に記載の発明は、請求項１０に記載の発明において、前記第１出射端面は、ファイバ軸に対して垂直な出射端面であり、前記第２出射端面は、前記第１出射端面に対して傾いた出射端面であることを特徴とする。
【００３５】
請求項１１に記載の発明によれば、請求項１０と同様の効果を奏することができる。
【００３６】
請求項１２に記載の発明は、請求項１０又は１１に記載の発明において、前記コアは、ファイバ軸に対して垂直な断面が矩形又は略矩形のコアであることを特徴とする。
【００３７】
請求項１２に記載の発明によれば、コア断面が円形（又は略円形）のコアを含む光ファイバと比べ、一辺側に光ファイバの出射端面を密に配置することができるため、一辺側の輝度をさらに高くすることができる。
【発明の効果】
【００３８】
本発明によれば、光ファイバを用いた発光装置において、１本の光ファイバであっても、車両用灯具の分野において望まれている輝度分布、すなわち、一辺側の輝度が最大で、かつ、そこから離れるに従って輝度がなだらかに減少する輝度分布を形成することができる発光装置及びこれに用いられる光ファイバを提供することが可能となる。
【図面の簡単な説明】
【００３９】
【図１】（ａ）図１（ｄ）に示す発光装置１０（波長変換部材１８）のＡ１−Ａ１断面における輝度分布、（ｂ）図１（ｄ）に示す発光装置１０のＡ１−Ａ１断面図、（ｃ）図１（ｄ）に示す発光装置１０（波長変換部材１８）のＢ１−Ｂ１断面における輝度分布、（ｄ）本発明の一実施形態である発光装置１０の上面図（拡散部材１６及び波長変換部材１８省略）である。
【図２】励起光源１２、集光レンズ２２及び光ファイバ１４の位置関係を説明するための概略図である。
【図３】第１出射端面１４ｂ１、第２出射端面１４ｂ２から出射する励起光ＲａｙＡ、ＲａｙＢの指向性を説明するための図である。
【図４】（ａ）図４（ｃ）に示す拡散部材１６のＡ２−Ａ２断面における輝度分布（グラフ）、（ｂ）図４（ｃ）に示す拡散部材１６に形成される輝度分布（写真）、（ｃ）実験１で用いた発光装置の上面図、（ｄ）図４（ｃ）に示す発光装置のＡ２−Ａ２断面図である。
【図５】（ａ）図５（ｃ）に示す拡散部材１６のＡ３−Ａ３断面における輝度分布（グラフ）、（ｂ）図５（ｃ）に示す拡散部材１６に形成される輝度分布（写真）、（ｃ）実験２で用いた発光装置の上面図、（ｄ）図５（ｃ）に示す発光装置のＡ３−Ａ３断面図である。
【図６】（ａ）図６（ｃ）に示す拡散部材１６のＡ４−Ａ４断面における輝度分布（グラフ）、（ｂ）図６（ｃ）に示す拡散部材１６に形成される輝度分布（写真）、（ｃ）実験３で用いた発光装置の上面図、（ｄ）図６（ｃ）に示す発光装置のＡ４−Ａ４断面図である。
【図７】拡散部材１６を省略した発光装置１０Ａの縦断面図である。
【図８】（ａ）図８（ｄ）に示す発光装置１０Ｂ（拡散部材１６）のＡ５−Ａ５断面における輝度分布、（ｂ）図８（ｄ）に示す発光装置１０ＢのＡ５−Ａ５断面図、（ｃ）図８（ｄ）に示す発光装置１０Ｂ（拡散部材１６）のＢ２−Ｂ２断面における輝度分布、（ｄ）発光装置１０Ｂの上面図（拡散部材１６及び波長変換部材１８省略）である。
【図９】反射面２０（散乱空間として機能する空間Ｓ）の変形例について説明するための図である。
【図１０】発光装置１０と、発光装置１０からの光を前方に照射する光学系としての投影レンズ３０と、を備えたダイレクトプロジェクション型（直射型とも称される）の車両用灯具１００の例である。
【図１１】（ａ）特許文献１に記載の発光装置２０１の概略図、（ｂ）発光装置２０１の部分拡大斜視図である。
【図１２】特許文献１に記載の発光装置２０１において波長変換部材２０７に形成される輝度分布Ｂ１及び車両用灯具の分野において望まれている輝度分布Ｂ２を説明するための図である。
【発明を実施するための形態】
【００４０】
以下、本発明の一実施形態である発光装置について、図面を参照しながら説明する。
【００４１】
図１（ａ）は図１（ｄ）に示す発光装置１０（波長変換部材１８）のＡ１−Ａ１断面における輝度分布、図１（ｂ）は図１（ｄ）に示す発光装置１０のＡ１−Ａ１断面図、図１（ｃ）は図１（ｄ）に示す発光装置１０（波長変換部材１８）のＢ１−Ｂ１断面における輝度分布、図１（ｄ）は本発明の一実施形態である発光装置１０の上面図（拡散部材１６及び波長変換部材１８省略）である。図２は、励起光源１２、集光レンズ２２及び光ファイバ１４の位置関係を説明するための概略図である。
【００４２】
図１、図２に示すように、本実施形態の発光装置１０は、励起光源１２、光ファイバ１４、拡散部材１６、波長変換部材１８、反射面２０を備え、光ファイバ１４の入射端面１４ａから導入され、出射端面１４ｂ（１４ｂ１、１４ｂ２）から出射し、拡散部材１６で拡散された励起光源１２からの励起光により励起発光する波長変換部材１８を光源とした発光装置である。以下、３本の光ファイバ１４を用いる例について説明するが、これに限定されず、光ファイバ１４は１、２又は４本以上であってもよいのは無論である。なお、拡散部材１６は、省略してもよい。
【００４３】
励起光源１２は、例えば、青色域（例えば、発光波長が４５０ｎｍ）の励起光を放出するレーザーダイオード、ＬＥＤ等の半導体発光素子である。なお、励起光源１２は、近紫外域（例えば、発光波長が４０５ｎｍ）の励起光を放出するレーザーダイオード、ＬＥＤ等の半導体発光素子であってもよい。励起光源１２は、光ファイバ１４と同数であってもよいし、光ファイバ１４より少数であってもよいし、光ファイバ１４より多数であってもよい。
【００４４】
図２に示すように、光ファイバ１４は、集光レンズ２２で集光された励起光源１２からの励起光が入射する入射端面１４ａと入射端面１４ａから導入される励起光が出射する出射端面１４ｂ（１４ｂ１、１４ｂ２）とを含むコア断面が円形又は略円形のコア１４ｃと、コア１４ｃの周囲を取り囲むクラッド１４ｄと、を含む光ファイバである。クラッド１４ｄの周囲は、被覆１４ｅで覆われている。
【００４５】
コア１４ｃ及びクラッド１４ｄの材料は、石英ガラスであってもよいし、合成樹脂であってもよい。光ファイバ１４は、マルチモード光ファイバであってもよいし、シングルモード光ファイバであってもよい。また、光ファイバ１４は、ステップインデックス型光ファイバであってもよいし、グレードインデックス型光ファイバであってもよい。
【００４６】
光ファイバ１４の出射端面１４ｂは、第１出射端面１４ｂ１及び第１出射端面１４ｂ１に対して傾いた第２出射端面１４ｂ２を含んでいる。
【００４７】
第１出射端面１４ｂ１は例えばファイバ軸ＡＸに対して垂直な平面形状の出射端面である。第２出射端面１４ｂ２は例えば第１出射端面１４ｂ１に対して４５°傾いた平面形状の出射端面である。第１出射端面１４ｂ１及び第２出射端面１４ｂ２は、図１（ｄ）に示すように、境界線Ｂを間に挟んで隣接した状態で配置されている。
【００４８】
第１出射端面１４ｂ１及び第２出射端面１４ｂ２は、例えば、コア断面が円形（又は略円形）の一般的な光ファイバの出射端部（ファイバ軸ＡＸに対して垂直な出射端面を含む出射端部）の一部（図２中符号１４ｆ参照）をダイヤモンド研磨シート等で斜めにカット（研磨）することで形成することができる。このように第２出射端面１４ｂ２が第１出射端面１４ｂ１に対して傾いている結果、図３に示すように、第２出射端面１４ｂ２から出射する励起光ＲａｙＢの指向性は、ファイバ軸ＡＸ寄りに傾いたものとなる。
【００４９】
拡散部材１６は、図１（ｂ）に示すように、下面１６ａ（本発明の第１の面に相当）とその反対側の上面１６ｂ（本発明の第２の面に相当）とを含み、光ファイバ１４の出射端面１４ｂ（１４ｂ１、１４ｂ２）から出射して下面１６ａを照射する励起光を拡散し、上面１６ｂから拡散光として出射する外形が矩形形状の板状又は層状の拡散部材である。
【００５０】
拡散部材１６の下面１６ａは、図１（ｄ）に示すように、その一辺Ｅ（例えば、カットオフラインに対応する辺）を含む細幅の第１領域１６ａ１及び第１領域１６ａ１以外の第２領域１６ａ２を含んでいる。第１領域１６ａ１及び第２領域１６ａ２は、境界線Ｂを含む直線を間に挟んで隣接した状態で配置されている。
【００５１】
拡散部材１６は、図１（ｂ）に示すように、第１領域１６ａ１が光ファイバ１４の第１出射端面１４ｂ１を覆い、かつ、第２領域１６ａ２が光ファイバ１４の第２出射端面１４ｂ２及び反射面２０を覆った状態でアルミ等の金属製のフェルール２４（上面）に固定されている。
【００５２】
拡散部材１６は、アルミナ焼結体であってもよいし、それ以外の材料で形成されていてもよい。
【００５３】
光ファイバ１４（本実施形態では、３本の光ファイバ１４）は、各々の出射端部がフェルール２４の上下面を貫通した貫通穴２４ａ（本実施形態では、図１（ｄ）に示すように一列に配置された３つの貫通穴２４ａ）に挿入された状態でフェルール２４に固定されている。
【００５４】
各々の光ファイバ１４の第１出射端面１４ｂ１は、図１（ｂ）に示すように、当該第１出射端面１４ｂ１から出射する励起光ＲａｙＡが拡散部材１６の下面１６ａ中の一辺Ｅ近傍の第１領域１６ａ１を照射するように、第１領域１６ａ１に近接した位置において第１領域１６ａ１に対向した状態（例えば、当接した状態）で配置されている。一方、各々の光ファイバ１４の第２出射端面１４ｂ２は、当該第２出射端面１４ｂ２から出射する励起光ＲａｙＢが拡散部材１６の下面１６ａ中の第２領域１６ａ２を照射するように、第２領域１６ａ２に対して傾いた状態で（第２領域１６ａ２側を向いた状態で）配置されている。第１出射端面１４ｂ１と第２出射端面１４ｂ２との間の境界線Ｂは、一辺Ｅに対して平行となっている。
【００５５】
波長変換部材１８は、図１（ｂ）に示すように、下面１８ａ（本発明の第３の面に相当）とその反対側の上面１８ｂ（本発明の第４の面に相当）とを含み、拡散部材１６の上面１６ｂから出射して下面１８ａを照射する励起光の少なくとも一部を励起光と異なる波長の光に変換し、上面１８ｂから出射する外形が矩形形状の板状又は層状の波長変換部材である。波長変換部材１８は、下面１８ａが拡散部材１６の上面１６ｂに面接触した状態で拡散部材１６（上面１６ｂ）に固定されている。
【００５６】
拡散部材１６及び波長変換部材１８の側面は、フェルール２４（上面）に固定されたアルミ等の金属製の枠体２６で取り囲まれている。
【００５７】
励起光源１２として青色域のレーザー光（例えば、発光波長が４５０ｎｍ）を放出するレーザーダイオードを用いる場合、波長変換部材１８として青色域のレーザー光によって励起されて黄色光を発光する波長変換部材（例えば、蛍光体プレート等の蛍光体）が用いられる。この場合、励起光源１２からの励起光（拡散部材１６で拡散された拡散光）を受けた波長変換部材１８は、これを透過する青色域のレーザー光と青色域のレーザー光による発光（黄色光）との混色による白色光（疑似白色光）を放出する。
【００５８】
一方、励起光源１２として近紫外域のレーザー光（例えば、発光波長が４０５ｎｍ）を放出するレーザーダイオードを用いる場合、波長変換部材１８として近紫外域のレーザー光によって励起されて赤、緑、青の３色の光を発光する波長変換部材（例えば、蛍光体プレート等の蛍光体）が用いられる。この場合、励起光源１２からの励起光（拡散部材１６で拡散された拡散光）を受けた波長変換部材１８は、近紫外域のレーザー光による発光（赤、緑、青の３色の光）の混色による白色光（疑似白色光）を放出する。
【００５９】
光ファイバ１４の第２出射端面１４ｂ２と拡散部材１６の下面１６ａ（第２領域１６ａ２）との間には、反射面２０が配置されている。
【００６０】
反射面２０は、第２出射端面１４ｂ２の前方に、当該反射面２０、第２出射端面１４ｂ２及び拡散部材１６の下面１６ａ（第２領域１６ａ２）で取り囲まれた断面が略三角形の空間Ｓを形成している。反射面２０は、第２出射端面１４ｂ２とは反対側に傾いている。
【００６１】
反射面２０は、平面形状の反射面であってもよいし、曲面形状の反射面であってもよいし、平面と曲面が混在した反射面であってもよい。また、反射面２０は、フェルール２４の一部を加工することで形成された反射面であってもよいし、フェルール２４に固定されたミラー等の反射面であってもよいし、フェルール２４に蒸着された蒸着面（例えば、アルミや銀等の金属による蒸着面）等の反射面であってもよいし、フェルール２４に塗布された白樹脂（例えば、酸化チタンを含有したシリコン樹脂）等の反射面であってもよいし、それ以外の反射面であってもよい。
【００６２】
上記構成の発光装置１０においては、集光レンズ２２で集光され、光ファイバ１４の入射端面１４ａから導入され、出射端面１４ｂ（第１出射端面１４ｂ１及び第２出射端面１４ｂ２）から出射し、拡散部材１６で拡散された励起光源１２からの励起光により励起発光する波長変換部材１８に、車両用灯具の分野において望まれている輝度分布、すなわち、図１（ａ）に符号Ｂ２で示すように、一辺Ｅ側の輝度が最大で、かつ、そこから離れる（図１（ａ）中右側に離れる）に従って輝度がなだらかに減少する輝度分布が形成される。
【００６３】
一辺Ｅ側の輝度が最大になるのは、第１出射端面１４ｂ１が、拡散部材１６の下面１６ａ中の一辺Ｅ近傍の第１領域１６ａ１を照射するように、第１領域１６ａ１に近接した位置において第１領域１６ａ１に対向した状態で配置されている（その結果、第１出射端面１４ｂ１と第１領域１６ａ１との間のフレネル反射等の接続損失が抑制される）ことによるものである。
【００６４】
一辺Ｅ側の輝度は、拡散部材１６及び／又は波長変換部材１８の一辺Ｅ側の側面を反射面で覆うことでさらに高くすることができる。これは、波長変換部材１８及び／又は拡散部材１６の一辺Ｅ側の側面から外部へ漏れ出る励起光が当該側面を覆う反射面の作用により波長変換部材１８及び／又は拡散部材１６へ戻されることによるものである。この反射面は、枠体２６の内側面２６ａであってもよいし、枠体２６の内側面２６ａと波長変換部材１８及び／又は拡散部材１６の一辺Ｅ側の側面との間に充填された白樹脂（例えば、酸化チタンを含有したシリコン樹脂）等の反射面であってもよいし、それ以外の反射面であってもよい。
【００６５】
一辺Ｅ側から離れる（図１（ａ）中右側に離れる）に従って輝度がなだらかに減少するのは、詳細な理由は不明であるが、第２出射端面１４ｂ２から出射した励起光が、反射面２０、第２出射端面１４ｂ２及び第２領域１６ａ２で取り囲まれた空間Ｓにおいて散乱され、複雑な経路を経て拡散部材１６（第２領域１６ａ２）に入射すること、すなわち、当該空間Ｓが散乱空間として機能することによるものと思われる。
【００６６】
この空間Ｓを散乱空間として機能させるため、図１（ｂ）に示すように、第２出射端面１４ｂ２の下端縁（拡散部材１６の下面１６ａ側とは反対側の縁）及び反射面２０の下端縁（拡散部材１６の下面１６ａ側とは反対側の縁）は、両者間に段差ができないように、出来る限り近接した状態で配置するのが望ましい。
【００６７】
光ファイバ１４の第１出射端面１４ｂ１は、拡散部材１６の下面１６ａ（第１領域１６ａ１）に近接した位置において第１領域１６ａ１に対向した状態で配置されていればよく、拡散部材１６の下面１６ａ（第１領域１６ａ１）に当接していてもよいし、当接していなくてもよい。光ファイバ１４の第１出射端面１４ｂ１が、拡散部材１６の下面１６ａ（第１領域１６ａ１）に当接していている場合、第１出射端面１４ｂ１と拡散部材１６の下面１６ａ（第１領域１６ａ１）との間のフレネル反射等の接続損失がさらに抑制されるため、第１出射端面１４ｂ１が拡散部材１６の下面１６ａ（第１領域１６ａ１）に当接していない場合と比べ、一辺Ｅ側の輝度をさらに高くすることができる。
【００６８】
次に、上記構成の発光装置１０の効果を確認するために行った実験結果について説明する。
【００６９】
＜実験１＞
図４（ｃ）は実験１で用いた発光装置の上面図、図４（ｄ）は図４（ｃ）に示す発光装置のＡ２−Ａ２断面図である。
【００７０】
実験１では、図４（ｃ）、図４（ｄ）に示すように、発光装置１０と同様の発光装置を用いた。励起光源１２としてＴＯ−３９缶パッケージのレーザーダイオード（最大出力：１．６Ｗ、波長：λｐ＝４５０ｎｍ±５ｎｍ）を用い、光ファイバ１４としてコア・クラッドタイプ、ステップインデックス型の光ファイバ（コア径：２００μｍ、クラッド径：２０８μｍ、伝播モード：マルチモード、開口数（ＮＡ）：０．２１）を用い、拡散部材１６としてアルミナ焼結体（縦０．４×横０．８×厚み３００μｍ）を用いた。なお、波長変換部材１８は省略した。拡散部材１６に形成される輝度分布は、波長変換部材１８に形成される輝度分布と同様と考えられるためである。
【００７１】
光ファイバ１４の出射端面１４ｂは、ファイバ軸ＡＸに対して垂直な出射端面で、拡散部材１６の下面１６ａ（中央）に近接した位置において当該拡散部材１６の下面１６ａ（中央）に当接した状態で配置されている。実験１で用いた発光装置においては、上記実施形態で説明した散乱空間として機能する空間Ｓは形成されていない。
【００７２】
図４（ａ）は図４（ｃ）に示す拡散部材１６のＡ２−Ａ２断面における輝度分布（グラフ）、図４（ｂ）は図４（ｃ）に示す拡散部材１６に形成される輝度分布（写真）である。
【００７３】
図４（ａ）、図４（ｂ）を参照すると、拡散部材１６に形成される輝度分布は、ファイバ軸ＡＸ上の輝度が最大で、かつ、ファイバ軸ＡＸから離れると輝度が急峻に減少する輝度分布となることが分かる。これは、実験１で用いた発光装置においては、上記実施形態で説明した散乱空間として機能する空間Ｓが形成されていないことによるものと思われる。
【００７４】
＜実験２＞
図５（ｃ）は実験２で用いた発光装置の上面図、図５（ｄ）は図５（ｃ）に示す発光装置のＡ３−Ａ３断面図である。
【００７５】
実験２では、図５（ｃ）、図５（ｄ）に示すように、発光装置１０と同様の発光装置を用いた。実験１と同様、励起光源１２としてＴＯ−３９缶パッケージのレーザーダイオード（最大出力：１．６Ｗ、波長：λｐ＝４５０ｎｍ±５ｎｍ）を用い、光ファイバ１４としてコア・クラッドタイプ、ステップインデックス型の光ファイバ（コア径：２００μｍ、クラッド径：２０８μｍ、伝播モード：マルチモード、開口数（ＮＡ）：０．２１）を用い、拡散部材１６としてアルミナ焼結体（縦０．４×横０．８×厚み３００μｍ）を用いた。
【００７６】
光ファイバ１４の出射端面１４ｂは、ファイバ軸ＡＸに対して垂直な第１出射端面１４ｂ１及び第１出射端面１４ｂ１に対して４５°傾いた第２出射端面１４ｂ２を含んでいる。第１出射端面１４ｂ１は、拡散部材１６の下面１６ａ（中央）に近接した位置において当該拡散部材１６の下面１６ａ（中央）に当接した状態で配置されている。一方、第２出射端面１４ｂ２は、拡散部材１６の下面１６ａに対して傾いた状態で配置されている。
【００７７】
光ファイバ１４の第２出射端面１４ｂ２と拡散部材１６の下面１６ａとの間には、反射面２０が配置されている。なお、反射面２０は、フェルール２４の上下面を貫通した貫通穴２４ａに挿入したニードルを第２出射端面１４ｂ２とは反対側に傾けることでフェルール２４に形成した。反射面２０は、第２出射端面１４ｂ２の前方に、当該反射面２０、第２出射端面１４ｂ２及び拡散部材１６の下面１６ａで取り囲まれた断面が略三角形の空間Ｓ１を形成している。反射面２０は、第２出射端面１４ｂ２とは反対側に傾いている。
【００７８】
図５（ａ）は図５（ｃ）に示す拡散部材１６のＡ３−Ａ３断面における輝度分布（グラフ）、図５（ｂ）は図５（ｃ）に示す拡散部材１６に形成される輝度分布（写真）である。
【００７９】
図５（ａ）、図５（ｂ）を参照すると、拡散部材１６に形成される輝度分布は、車両用灯具の分野において望まれている輝度分布、すなわち、一辺Ｅ１側の輝度が最大で、かつ、そこから離れる（図５（ａ）中右側に離れる）に従って輝度がなだらかに減少する輝度分布となることが分かる。
【００８０】
一辺Ｅ１側の輝度が最大になるのは、第１出射端面１４ｂ１が、拡散部材１６の下面１６ａ中の一辺Ｅ１近傍の領域１６ａ１を照射するように、第１領域１６ａ１に近接した位置において第１領域１６ａ１に対向した状態で配置されている（その結果、第１出射端面１４ｂ１と第１領域１６ａ１との間のフレネル反射等の接続損失が抑制される）ことによるものである。その結果、図４（ａ）に示す輝度分布と比べ、ピークが図５（ａ）中左にシフトする。
【００８１】
一辺Ｅ１側から離れる（図５（ａ）中右側に離れる）に従って輝度がなだらかに減少するのは、詳細な理由は不明であるが、実験１の実験結果と対比して考察すると、実験２で用いた発光装置においては、上記実施形態で説明した散乱空間として機能する空間Ｓと同様の空間Ｓ１が形成されており、第２出射端面１４ｂ２から出射した励起光が、当該空間Ｓ１において散乱され、複雑な経路を経て拡散部材１６に入射することによるものと思われる。
【００８２】
＜実験３＞
図６（ｃ）は実験３で用いた発光装置の上面図、図６（ｄ）は図６（ｃ）に示す発光装置のＡ４−Ａ４断面図である。
【００８３】
実験３では、図６（ｃ）、図６（ｄ）に示すように、実験２で用いた発光装置と同様の発光装置を用いた。
【００８４】
但し、光ファイバ１４は、ファイバ軸を中心に１８０°回転した状態で配置されている。
【００８５】
光ファイバ１４の第２出射端面１４ｂ２と拡散部材１６の下面１６ａとの間には、フェルール２４の上下面を貫通した貫通穴２４ａの内壁（反射面２０として機能する）が配置されている。貫通穴２４ａの内壁は、第２出射端面１４ｂ２の前方に、当該貫通穴２４ａの内壁、第２出射端面１４ｂ２及び拡散部材１６の下面１６ａで取り囲まれた断面が略三角形の空間Ｓ２を形成している。
【００８６】
図６（ａ）は図６（ｃ）に示す拡散部材１６のＡ４−Ａ４断面における輝度分布（グラフ）、図６（ｂ）は図６（ｃ）に示す拡散部材１６に形成される輝度分布（写真）である。
【００８７】
図６（ａ）、図６（ｂ）を参照すると、拡散部材１６に形成される輝度分布は、車両用灯具の分野において望まれている輝度分布、すなわち、一辺Ｅ２側の輝度が最大で、かつ、そこから離れる（図６（ａ）中右側に離れる）に従って輝度がなだらかに減少する輝度分布となることが分かる。
【００８８】
一辺Ｅ２側の輝度が最大になるのは、第１出射端面１４ｂ１が、拡散部材１６の下面１６ａ中の一辺Ｅ２近傍の領域１６ａ１を照射するように、第１領域１６ａ１に近接した位置において第１領域１６ａ１に対向した状態で配置されている（その結果、第１出射端面１４ｂ１と第１領域１６ａ１との間のフレネル反射等の接続損失が抑制される）ことによるものである。
【００８９】
一辺Ｅ２側から離れる（図６（ａ）中右側に離れる）に従って輝度がなだらかに減少するのは、詳細な理由は不明であるが、実験１の実験結果と対比して考察すると、実験３で用いた発光装置においては、上記実施形態で説明した散乱空間として機能する空間Ｓと同様の空間Ｓ２が形成されており、第２出射端面１４ｂ２から出射した励起光が、当該空間Ｓ２において散乱され、複雑な経路を経て拡散部材１６に入射することによるものと思われる。
【００９０】
図５（ａ）に示す輝度分布と図６（ａ）に示す輝度分布とを対比すると、図６（ａ）に示す輝度分布のピークが図５（ａ）に示す輝度分布のピークより右にシフトしている。これは、図６（ｄ）に示す空間Ｓ２が図５（ｄ）に示す空間Ｓ１より小さく（その結果、散乱されにくく）、拡散部材１６により多くの励起光が入射する（入射する絶対光量が強い）ことによるものと思われる。
【００９１】
また、図５（ａ）に示す輝度分布と図６（ａ）に示す輝度分布とを対比すると、第２出射端面１４ｂ２に対する反射面２０の傾きが大きい方（図５（ａ）参照）が、輝度がよりなだらかに減少する輝度分布となることが分かる。このことから、第２出射端面１４ｂ２に対する反射面２０の傾きを大きくすることで、輝度がよりなだらかに減少する輝度分布を形成することができることが分かる。
【００９２】
また、図４（ａ）に示す輝度分布と図６（ａ）に示す輝度分布とを対比すると、第１出射端面１４ｂ１（拡散部材１６の下面１６ａ）に対する第２出射端面１４ｂ２の傾きが大きい方（図６（ａ）参照）が、輝度がよりなだらかに減少する輝度分布となることが分かる。このことから、第１出射端面１４ｂ１（拡散部材１６の下面１６ａ）に対する第２出射端面１４ｂ２の傾きを大きくすることで、輝度がよりなだらかに減少する輝度分布を形成することができることが分かる。
【００９３】
以上説明したように、本実施形態によれば、光ファイバ１４を用いた発光装置１０において、１本の光ファイバ１４であっても、車両用灯具の分野において望まれている輝度分布、すなわち、一辺Ｅ側の輝度が最大で、かつ、そこから離れるに従って輝度がなだらかに減少する輝度分布を形成することができる発光装置及びこれに用いられる光ファイバを提供することができる。
【００９４】
次に、変形例として、拡散部材１６を省略した発光装置１０Ａについて説明する。
【００９５】
図７は、拡散部材１６を省略した発光装置１０Ａの縦断面図である。
【００９６】
本変形例の発光装置１０Ａと上記第実施形態の発光装置１０とを対比すると、上記実施形態の発光装置１０においては、図１（ｂ）に示すように、拡散部材１６を用いていたのに対して、本変形例の発光装置１０Ａにおいては、図７に示すように、拡散部材１６を省略した点で、両者は相違する。
【００９７】
それ以外、上記実施形態の発光装置１０と同様の構成である。以下、上記実施形態の発光装置１０との相違点を中心に説明し、上記実施形態の発光装置１０と同一の構成については同一の符号を付してその説明を省略する。
【００９８】
波長変換部材１８の下面１８ａは、図７に示すように、その一辺Ｅ（例えば、カットオフラインに対応する辺）を含む細幅の第１領域１８ａ１及び第１領域１８ａ１以外の第２領域１８ａ２を含んでいる。第１領域１８ａ１及び第２領域１８ａ２は、境界線Ｂを含む直線を間に挟んで隣接した状態で配置されている。
【００９９】
波長変換部材１８は、第１領域１８ａ１が光ファイバ１４の第１出射端面１４ｂ１を覆い、かつ、第２領域１８ａ２が光ファイバ１４の第２出射端面１４ｂ２及び反射面２０を覆った状態でアルミ等の金属製のフェルール２４（上面）に固定されている。
【０１００】
光ファイバ１４（本変形例では、３本の光ファイバ１４）は、各々の出射端部がフェルール２４の上下面を貫通した貫通穴２４ａ（本変形例では、図１（ｃ）に示すように一列に配置された３つの貫通穴２４ａ）に挿入された状態でフェルール２４に固定されている。各々の光ファイバ１４の第１出射端面１４ｂ１は、図７に示すように、当該第１出射端面１４ｂ１から出射する励起光ＲａｙＡが波長変換部材１８の下面１８ａ中の一辺Ｅ近傍の第１領域１８ａ１を照射するように、第１領域１８ａ１に近接した位置において第１領域１８ａ１に対向した状態（例えば、当接した状態）で配置されている。一方、各々の光ファイバ１４の第２出射端面１４ｂ２は、当該第２出射端面１４ｂ２から出射する励起光ＲａｙＢが波長変換部材１８の下面１８ａ中の第２領域１８ａ２を照射するように、第２領域１８ａ２に対して傾いた状態で（第２領域１８ａ２側を向いた状態で）配置されている。第１出射端面１４ｂ１と第２出射端面１４ｂ２との間の境界線Ｂは、一辺Ｅに対して平行となっている。
【０１０１】
反射面２０は、第２出射端面１４ｂ２の前方に、当該反射面２０、第２出射端面１４ｂ２及び波長変換部材１８の下面１８ａ（第２領域１８ａ２）で取り囲まれた断面が略三角形の空間Ｓを形成している。反射面２０は、第２出射端面１４ｂ２とは反対側に傾いている。
【０１０２】
本変形例によれば、上記実施形態と同様、光ファイバ１４を用いた発光装置１０Ａにおいて、１本の光ファイバ１４であっても、車両用灯具の分野において望まれている輝度分布、すなわち、一辺Ｅ側の輝度が最大で、かつ、そこから離れるに従って輝度がなだらかに減少する輝度分布を形成することができる発光装置及びこれに用いられる光ファイバを提供することができる。
【０１０３】
次に、変形例として、コア断面が矩形（又は略矩形）のコア１４Ａｃを含む光ファイバ１４Ａを用いた発光装置１０Ｂについて説明する。
【０１０４】
図８（ａ）は図８（ｄ）に示す発光装置１０Ｂ（拡散部材１６）のＡ５−Ａ５断面における輝度分布、図８（ｂ）は図８（ｄ）に示す発光装置１０ＢのＡ５−Ａ５断面図、図８（ｃ）は図８（ｄ）に示す発光装置１０Ｂ（拡散部材１６）のＢ２−Ｂ２断面における輝度分布、図８（ｄ）は発光装置１０Ｂの上面図（拡散部材１６及び波長変換部材１８省略）である。
【０１０５】
本変形例の発光装置１０Ｂと上記第実施形態の発光装置１０とを対比すると、上記実施形態の発光装置１０においては、図１（ｄ）に示すように、コア断面が円形（又は略円形）のコア１４ｃを含む光ファイバ１４を用いていたのに対して、本変形例においては、図８（ｄ）に示すように、コア断面が矩形（又は略矩形）のコア１４Ａｃを含む光ファイバ１４Ａを用いている点で、両者は相違する。
【０１０６】
それ以外、上記実施形態の発光装置１０と同様の構成である。以下、上記実施形態の発光装置１０との相違点を中心に説明し、上記実施形態の発光装置１０と同一の構成については同一の符号を付してその説明を省略する。
【０１０７】
光ファイバ１４Ａの出射端面１４Ａｂは、第１出射端面１４Ａｂ１及び第１出射端面１４Ａｂ１に対して傾いた第２出射端面１４Ａｂ２を含んでいる。
【０１０８】
第１出射端面１４Ａｂ１は例えばファイバ軸ＡＸに対して垂直な平面形状で、かつ、外形が矩形の出射端面である。第２出射端面１４Ａｂ２は例えば第１出射端面１４Ａｂ１に対して４５°傾いた平面形状で、かつ、外形が矩形の出射端面である。第１出射端面１４Ａｂ１及び第２出射端面１４Ａｂ２は、境界線Ｂを間に挟んで隣接した状態で配置されている。
【０１０９】
第１出射端面１４Ａｂ１及び第２出射端面１４Ａｂ２は、例えば、コア断面が矩形（又は略矩形）の光ファイバの出射端部（ファイバ軸ＡＸに対して垂直な出射端面を含む出射端部）の一部をダイヤモンド研磨シート等で斜めにカット（研磨）することで形成することができる。このように第２出射端面１４Ａｂ２が第１出射端面１４Ａｂ１に対して傾いている結果、第２出射端面１４Ａｂ２から出射する励起光の指向性は、図３に示すように、ファイバ軸ＡＸ寄りに傾いたものとなる。
【０１１０】
光ファイバ１４Ａ（本変形例では、３本の光ファイバ１４Ａ）は、各々の出射端部（クラッド１４ｄ）が融着されて一体化されており、この一体化された出射端部がフェルール２４の上下面を貫通した貫通穴２４Ａａに挿入された状態でフェルール２４に固定されている。なお、各々の出射端部（クラッド１４ｄ）は、融着されていなくてもよい。
【０１１１】
各々の光ファイバ１４Ａの第１出射端面１４Ａｂ１は、図８（ｂ）に示すように、当該第１出射端面１４Ａｂ１から出射する励起光ＲａｙＡが拡散部材１６の下面１６ａ中の一辺Ｅ近傍の第１領域１６ａ１を照射するように、第１領域１６ａ１に近接した位置において第１領域１６ａ１に対向した状態（例えば、当接した状態）で配置されている。一方、各々の光ファイバ１４Ａの第２出射端面１４Ａｂ２は、当該第２出射端面１４Ａｂ２から出射する励起光ＲａｙＢが拡散部材１６の下面１６ａ中の第２領域１６ａ２を照射するように、第２領域１６ａ２に対して傾いた状態で（第２領域１６ａ２側を向いた状態で）配置されている。第１出射端面１４Ａｂ１と第２出射端面１４Ａｂ２との間の境界線Ｂは、一辺Ｅに対して平行となっている。
【０１１２】
反射面２０は、第２出射端面１４Ａｂ２の前方に、当該反射面２０、第２出射端面１４Ａｂ２及び拡散部材１６の下面１６ａ（第２領域１６ａ２）で取り囲まれた断面が略三角形の空間Ｓを形成している。反射面２０は、第２出射端面１４Ａｂ２とは反対側に傾いている。
【０１１３】
本変形例によれば、上記実施形態と同様、光ファイバ１４を用いた発光装置１０Ｂにおいて、１本の光ファイバ１４であっても、車両用灯具の分野において望まれている輝度分布、すなわち、一辺Ｅ側の輝度が最大で、かつ、そこから離れるに従って輝度がなだらかに減少する輝度分布を形成することができる発光装置及びこれに用いられる光ファイバを提供することができる。
【０１１４】
また、本変形例の発光装置１０Ｂによれば、コア断面が円形（又は略円形）のコア１４ｃを含む光ファイバ１４と比べ、一辺Ｅ側に光ファイバ１４Ａの第１出射端面１４Ａｂ１を密に配置することができるため、一辺Ｅ側の輝度をさらに高くすることができる。
【０１１５】
次に、反射面２０（散乱空間として機能する空間Ｓ）の変形例について説明する。
【０１１６】
図９は、反射面２０（散乱空間として機能する空間Ｓ）の変形例について説明するための図である。
【０１１７】
反射面２０（散乱空間として機能する空間Ｓ）は、第２出射端面１４ｂ２とは反対側に傾いた反射面（図１（ｄ）参照）に限らず、フェルール２４の上下面を貫通した貫通穴２４ａの内壁（図６（ｄ）参照）であってもよいし、複数の反射面（図９参照）であってもよいし、それ以外の形状の反射面であってもよい。
【０１１８】
次に、上記構成の発光装置１０が適用された車両用灯具１００（ダイレクトプロジェクション型の車両用灯具）の例について説明する。以下、車両用灯具１００に発光装置１０を適用する例について説明するが、それ以外の発光装置１０Ａ、１０Ｂであっても同様に適用できるのは無論である。
【０１１９】
図１０は、発光装置１０と、発光装置１０からの光を前方に照射する光学系としての投影レンズ３０と、を備えたダイレクトプロジェクション型（直射型とも称される）の車両用灯具１００の例である。
【０１２０】
車両用灯具１００は、アウターレンズ３２とこれに組み付けられたハウジング３４とで構成される灯室３６内に配置された、発光装置１０、エクステンション３８、投影レンズ３０、光軸調整機構４０等を備えている。励起光源１２は、制御回路４２、放熱板４４、外部電源及び信号線４６が接続された別体光源モジュールとして構成されている。発光装置１０の波長変換部材１８は、投影レンズ３０の光学設計上の基準点Ｆ３０に配置されている。
【０１２１】
なお、発光装置１０からの光を前方に照射する光学系は、ダイレクトプロジェクション型（直射型とも称される）の光学系を構成する投影レンズ３０等に限らず、プロジェクタ型の光学系を構成する投影レンズ、シェード、楕円系反射面等であってもよいし、リフレクタ型の光学系を構成する放物面系反射面等であってもよいし、導光光学系（ＲＸＩ光学系）を構成する全反射を利用したレンズ体等であってもよいし、その他の光学系であってもよい。
【０１２２】
上記実施形態及び各変形例で示した各数値は全て例示であり、これと異なる適宜の数値を用いることができる。
【０１２３】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１２４】
１０、１０Ａ、１０Ｂ…発光装置、１２…励起光源、１４、１４Ａ…光ファイバ、１４ａ…入射端面、１４ｂ、１４Ａｂ…出射端面、１４ｂ１、１４Ａｂ１…第１出射端面、１４ｂ２、１４Ａｂ２…第２出射端面、１４ｃ、１４Ａｃ…コア、１４ｄ…クラッド、１４ｅ…被覆、１６…拡散部材、１６ａ…下面、１６ａ１…第１領域、１６ａ２…第２領域、１６ｂ…上面、１８…波長変換部材、１８ａ…下面、１８ａ１…第１領域、１８ａ２…第２領域、１８ｂ…上面、２０…反射面、２２…集光レンズ、２４…フェルール、２４ａ、２４Ａａ…貫通穴、２６…枠体、２６ａ…内側面
【図１】
2015185209.tif 000003
【図２】
2015185209.tif 000004
【図３】
2015185209.tif 000005
【図７】
2015185209.tif 000006
【図８】
2015185209.tif 000007
【図９】
2015185209.tif 000008
【図１０】
2015185209.tif 000009
【図１１】
2015185209.tif 000010
【図１２】
2015185209.tif 000011
【図４】
2015185209.tif 000012
【図５】
2015185209.tif 000013
【図６】
2015185209.tif 000014